(57)【特許請求の範囲】
【請求項１】
長方形の券類を発券する発券装置において；
発券に際して利用者に対して前記券類を繰り出す繰り出し手段を備え；
前記繰り出し手段は、前記券類を繰り出し方向に搬送する搬送手段と、前記搬送される券類の搬送を制止する第１の制止手段とを有し、前記搬送手段による搬送力と前記第１の制止手段による制止力とが、前記券類に対して、前記券類の面に垂直な軸線回りの回転モーメントを及ぼすように構成され；
さらに前記繰り出し手段は、前記回転モーメントにより回転される券類の回転を、前記券類の角部を摘んで取り去ることができるように前記券類の角部が突出する位置で制止する第２の制止手段を有する；
発券装置。
【請求項２】
前記繰り出し手段は、前記券類の角部が突出する側とは反対側に前記券類を片寄せする案内手段を有し；
前記案内手段が前記券類に干渉しない案内解除位置にあるときに、前記券類の前記突出が可能に構成された；
請求項１に記載の発券装置。
【請求項３】
前記繰り出し手段は、大きさの異なる複数の券類を繰り出すことが可能に構成され；
前記案内手段は、前記大きさの異なる複数の券類に対応して複数設けられ；
前記複数の案内手段は、互いに連動して前記案内解除位置に移動可能に構成された；
請求項２に記載の発券装置。
【請求項４】
前記搬送手段は、前記券類に対して前記回転モーメントを及ぼすときに、前記券類の繰り出し方向の搬送を、前記発券に際しての搬送の速度より低速で行なえるように構成された；
請求項１乃至請求項３のいずれか１項に記載の発券装置。
【発明の詳細な説明】
【０００１】
【発明の属する技術分野】
本発明は、乗車券、食券、映画館のチケット、温泉の入場券を発行する自動券売機や券発行機などに内蔵される各種の発券装置に関し、特に、詰まりを生じた券類の排除が簡単に行なえる発券装置に関する。
【０００２】
【従来の技術】
従来の発券装置としては、ロール状に巻かれた券類の券紙（以下ロール紙とする）を発券の際に所定の長さで切断して、切断後に券紙の表面に印字情報を印刷し、発券するものがあった。
【０００３】
【発明が解決しようとする課題】
しかし、以上のような従来の発券装置によれば、例えば発券の際に装置内を搬送される券類が、搬送経路の途中に詰まってしまった場合に、詰まった券類を取り除くことが難しいという問題があった。
【０００４】
そこで本発明は、詰まりを生じた券類を排除することが簡単に行なえる発券装置を提供することを目的とする。
【０００５】
【課題を解決するための手段】
上記目的を達成するために、請求項１に係る発明による発券装置１は、例えば図６、図７に示すように、長方形の券類を発券する発券装置において；発券に際して利用者に対して券類３ａを繰り出す繰り出し手段１００（図１参照）を備え；繰り出し手段１００は、券類３ａを繰り出し方向に搬送する搬送手段１１０と、前記搬送される券類３ａの搬送を制止する第１の制止手段１２１ａとを有し、搬送手段１１０による搬送力と第１の制止手段１２１ａによる制止力とが、券類３ａに対して、券類３ａの面に垂直な軸線回りの回転モーメントを及ぼすように構成され；さらに繰り出し手段１００は、前記回転モーメントにより回転される券類３ａの回転を、券類３ａの角部を摘んで取り去ることができるように券類３ａの角部が突出する位置で制止する第２の制止手段１２１ｂを有する。
【０００６】
このように構成すると、繰り出し手段１００を備えているので、券類３ａを繰り出し方向に搬送できる。さらに、繰り出し手段１００は、搬送手段１１０と、第１の制止手段１２１ａとを有し、搬送手段１１０による搬送力と第１の制止手段１２１ａによる制止力とが、券類３ａに対して、券類３ａの面に垂直な軸線回りの回転モーメントを及ぼすように構成されているので、例えば、発券装置１による券類３ａの発券の際に、詰まりを生じた券類３ａを、前記回転モーメントにより回転させることで、詰まりを生じた券類３ａを排除することが簡単に行なえる発券装置を提供できる。さらに、繰り出し手段１００は、前記回転モーメントにより回転される券類３ａの回転を、券類３ａの角部を摘んで取り去ることができるように券類３ａの角部が突出する位置で制止する第２の制止手段１２１ｂを有するので、前記回転モーメントにより回転される券類３ａの回転を、第２の制止手段１２１ｂにより、適正な位置で制止することができて、詰まりを生じた券類３ａを排除し易い。
【０００７】
また、請求項２に係る発明による発券装置１は、請求項１に記載の発券装置１において、例えば図７、図８、図９に示すように、繰り出し手段１００は、券類３ａの角部が突出する側とは反対側１０３に券類３ａを片寄せする案内手段１３１、１４１を有し；案内手段１３１、１４１が券類３ａに干渉しない案内解除位置にあるときに、券類３ａの前記突出が可能に構成されている。
【０００８】
このように構成すると、券類３ａを片寄せする案内手段１３１、１４１を有するので、券類を安定して搬送できる。また、案内手段１３１、１４１が券類３ａに干渉しない案内解除位置にあるときに、券類３ａの前記突出が可能に構成されているので、詰まった券類を取り除くことができる。
【０００９】
また、請求項３に係る発明による発券装置１は、請求項２に記載の発券装置１において、例えば図８に示すように、繰り出し手段１００は、大きさの異なる複数の券類３を繰り出すことが可能に構成され；案内手段１３１、１４１は、大きさの異なる複数の券類３に対応して複数設けられ；複数の案内手段１３１、１４１は、互いに連動して案内解除位置に移動可能に構成されている。
【００１０】
このように構成すると、繰り出し手段１００は、複数の案内手段１３１、１４１を有しているので、大きさの異なる複数の券類３を、例えば片寄せして搬送部１１０により搬送を行なうことで、大きさの異なる複数の券類３をそれぞれ安定して搬送できる。さらに、複数の案内手段１３１、１４１は、互いに連動して案内解除位置に移動可能に構成されているので、例えば、複数の案内手段１３１、１４１のうち１の案内手段１４１を案内解除位置に移動させることで、他の案内手段１３１も連動して案内解除位置に移動するので、詰まった券類３を取り除くための操作が単純である。
【００１１】
また、請求項４に係る発明による発券装置１は、請求項１乃至請求項３のいずれか１項に記載の発券装置１において、搬送手段１１０は、券類３ａに対して前記回転モーメントを及ぼすときに、券類３ａの繰り出し方向の搬送を、前記発券に際しての搬送の速度より低速で行なえるように構成するとよい。
【００１２】
このように構成すると、搬送手段１１０は、券類３ａの繰り出し方向の搬送を、前記発券に際しての搬送の速度より低速で行なえることで、例えば、効果的に券類３ａに対して前記回転モーメントを及ぼすことができる。
【００１３】
【発明の実施の形態】
以下、本発明の実施の形態について、図面を参照して説明する。なお、各図において互いに同一あるいは相当する部材には同一符号または類似符号を付し、重複した説明は省略する。
【００１４】
図１の模式的正面図を参照して、本発明の実施の形態である発券装置１の構成を説明する。発券装置１は、券類としての券３を発券するものである。券３については、図３を参照して後述する。本実施の形態では、発券装置１は、駅務で用いられるもの、例えば乗車券を発券する券売機に備えられるものである。発券装置１は、券紙２を長手方向の第1の向き及び第１の向きと逆の第２の向きに搬送する搬送手段としてのフィード部２０と、券紙２を長手方向の所定の長さに切断する切断手段としての切断部３０と、券３に印刷情報を印刷する印刷手段としての印字部５０と、発券に際して利用者に対して券３を繰り出す繰り出し手段としての放出部１００とを含んで構成される。さらに発券装置１は、券紙２を保持する保持部１０と、券３を搬送するメイン搬送部６０と、磁気情報の読み書き処理を行なう磁気処理部７０とを備えている。また各構成要素の詳細については後述する。なお、ここでは、切断部３０により券紙２の切断が行なわる前を券紙２、切断が行なわれた後を券３として説明する。さらに、これらを特に区別しないときには、単に券３という。
【００１５】
ここでは、第１の向きは、保持部１０から切断部３０へ券紙２を搬送する方向ｆ１（図中略水平左方向）、第２の向きは、第１の向きｆ１と逆の方向ｆ２（図中略水平右方向）として説明する。以下、第１の向きｆ１への搬送を正搬送、第２の向きｆ２への搬送を逆搬送として説明する。
【００１６】
図２を参照して、券紙２について説明する。図２（ａ）は券紙２がロール状に巻かれたロール紙２ａの状態を示す斜視図であり、図２（ｂ）は券紙の表面を示す平面図、図２（ｃ）は券紙の裏面を示す裏面図である。図示のように、券紙２は、表面に印刷情報、裏面に磁気情報の書き込みが可能である長尺の帯状の券紙である。ここでは、券紙２は、幅が５８ｍｍのものを用いる。また券紙２は、ロール状に巻かれたロール紙２ａの状態で、保持部１０に券紙２の先端部が引き出し可能な状態で装填されている。言い換えれば、券紙２は、先端部がロール紙２ａから出された状態であり、保持部１０から脱着可能になっている。
【００１７】
さらに、図３を参照して、発券装置１により発券される券３について説明する。本実施の形態では、発券装置１で発券される券３の種類は、小型券、中型券、大型券の３券種である。ここで、小型券は、例えば近距離用の乗車券、精算証明券に用いられるものである。中型券は、例えば遠距離（長距離）用の乗車券、特急券に用いられるものである。大型券は、例えば周遊券等の企画券、券の購入に関する領収書や各券の発券履歴等の発券データを印字するときに用いられるものである。
【００１８】
図３（ａ）に小型券３ａ、図３（ｂ）に中型券３ｂ、図３（ｃ）に大型券３ｃを示す。小型券３ａ、中型券３ｂ、大型券３ｃは、券紙２を切断部３０によりそれぞれの大きさに切断することで形成される。各券の券紙２の長手方向の長さは、小型券３ａが第１の所定の長さ、中型券３ｂが第２の所定の長さ、大型券３ｃが第３の所定の長さである。ここでは、第１の所定の長さは３０ｍｍ、第２の所定の長さは８５ｍｍ、第３の所定の長さは１２０ｍｍである。また、小型券３ａは、中型券３ｂ、大型券３ｃに対して磁気情報の記録方向が垂直であるので、後述するターン部８０で９０°回転させた後に磁気処理部７０により磁気情報が記録するようにするとよい。以下、小型券３ａ、中型券３ｂ、大型券３ｃを特に区別しないときには単に券３という。
【００１９】
図１に戻って、発券装置１についてさらに説明する。保持部１０は、ロール紙２ａを保持するものであり、ロール紙２ａを回転可能に保持する支持軸１１と、ロール紙２ａにテンションを与えるテンションローラ１２ａ、１２ｂと、ロール紙の有無を検知するロール紙無しセンサ１４とを含んで構成されている。支持軸１１と、テンションローラ１２ａ、１２ｂと、ロール紙無しセンサ１４とは、保持板１５に取り付けられている。また、テンションローラ１２ａ、１２ｂは、回転可能に保持板１５に取り付けられている。支持軸１１は、保持部１０のおよそ中央部に配置されている。またテンションローラ１２ａ、１２ｂは、テンションローラ１２ａが保持部１０のおよそ図中右端部の上端に、テンションローラ１２ｂが保持部１０のおよそ図中右端部の下端に配置されている。また、以下テンションローラ１２ａ、１２ｂを特に区別しないときには単にテンションローラ１２という。
【００２０】
さらに、保持部１０は、ロール紙２ａを保持した状態で、発券装置１からＸ１方向（図中水平方向）に引き出し可能な構成となっている。これにより、発券装置１は、ロール紙２ａを容易に装填可能であるので、例えばロール紙２ａ（券紙２）の補充といった装置の運用が簡便である。保持部１０は、券紙２の先端部が保持部１０の下方に引き出せるように構成されている。また、ここでは、保持部１０は、ロール紙２ａが１巻装填できるもので説明しているが、ロール紙２ａが複数巻例えば２巻装填できるものを用いてもよい。２巻装填できるものを用いた場合には、１つのロール紙からの券紙が無くなってしまっても、別のロール紙から自動的に券紙を供給できるので、運用効率が向上する。
【００２１】
フィード部２０は、例えば保持部１０に保持されたロール紙２ａを、即ち保持部１０から印字部５０までの間の券紙２を搬送するものである。フィード部２０は、第１のフィード部２１と、第２のフィード部２２とを含んで構成される。第１フィード部２１は、保持部１０の図中およそ下方に取り付けられている。第２フィード部２２は、第１フィード部２１の図中およそ水平方向左に併設されている。
【００２２】
第１フィード部２１は、保持部１０のおよそ下方に取り付けられている。第１フィード部２１は、券紙２を回転により搬送する補充フィードローラ２３と、補充フィードローラ２３と対に設けられ、補充フィードローラ２３に従動して回転する自由ローラ２４と、補充フィードローラ２３を駆動する第１フィード部駆動手段としての第１フィード部駆動モータ２５と、第１フィード部駆動モータ２５による駆動力を補充フィードローラ２３に伝達するベルト２５ａ（図中破線で表示）と、券紙２の先端部の位置を検出する位置センサ２６ａ、２６ｂとを含んで構成されている。位置センサ２６ａは、補充フィードローラ２３の図中右側に取り付けられている。位置センサ２６ａは、券紙２の先端部が補充フィードローラ２３と自由フィードローラ２４との間に挟み込ませようとする動作を検知するものである。また、位置センサ２６ｂは、補充フィードローラ２３の図中左側に設けられている。位置センサ２６ｂは、券紙２の先端部が、補充フィードローラ２３を通過し、補充フィードローラ２３と第２フィード部２２の中間部の通過を検知するものである。
【００２３】
第１フィード部２１は、保持部１０のロール紙２ａを装填するときに、補充フィードローラ２３と自由ローラ２４の間に、保持部１０から引き出された券紙２の先端部を挟み込ませることで、位置センサ２６ａがそれを検知するように構成されている。そして、第１フィード部２１は、位置センサ２６ａの検知により第１フィード部駆動モータ２５を駆動することでベルト２５ａを介して補充フィードローラ２３を駆動し、券紙２を搬送するように構成されている。言い換えれば、第１フィード部２１は、ロール紙２ａの装填の際に、作動し発券装置１に券紙２の自動装填を行うものである。また、第１フィード部２１は、券紙２の装填が完了した後には、補充フィードローラ２３を駆動せず、第２フィード部２２による券紙２の搬送に従動するように構成されている。
【００２４】
第２フィード部２２は、第１フィードローラ２７ａ、第２フィードローラ２７ｂと、それぞれに対応して対に設けられる第１自由ローラ２８ａ、第２自由ローラ２８ｂと、フィードローラ２７を駆動する第２フィード部駆動手段としての第２フィード部駆動モータ２９と、第２フィード部駆動モータ２９による駆動を伝達するベルト２９ａ（図中破線で表示）とを含んで構成される。第１フィードローラ２７ａは、後述の第２カッタ部３２の第１フィード部２１側（図中右側）に配置されており、第２フィードローラ２７ｂは、後述の第１カッタ部３１と第２カッタ部３２との間（図中第１フィードローラ２７ａの左側）に配置されている。
【００２５】
切断部３０は、券紙２を長手方向の第１の所定の長さに切断する第１の切断手段としての第１カッタ部３１と、券紙２を長手方向の前記第１の所定の長さと異なる第２の所定の長さに切断する第２の切断手段としての第２カッタ部３２とを含んで構成される。切断部３０は、第２フィード部２２とおよそ同じ位置に配置されている。第１カッタ部３１は、図中左側即ち第２フィードローラ２７ｂの左側に配置されており、第２カッタ部３２は、図中右側即ち第２フィードローラ２７ｂの右側に配置されている。なお、切断部３０については、図４を参照して後で詳しく説明する。
【００２６】
印字部５０は、切断部３０の図中左側に配置されている。印字部５０は、印刷情報を印刷するサーマルヘッド５１と、券３を搬送する搬送部としての印刷搬送部５２とを含んで構成される。印刷搬送部５２は、サーマルヘッド５１に対向して設けられ、回転により券３を搬送するプラテンローラ５３と、プラテンローラ５３を駆動する印字部駆動手段としてのプラテンローラ駆動モータ５４と、プラテンローラ駆動モータ５４による駆動を伝達するベルト５４ａ（図中破線で表示）とを有している。また印字部５０は、サーマルヘッド５１に接触する券３を検出する券センサ（図示せず）を有している。また、印字部５０は、フィード部２０との搬送速度の同期がとれるように構成されている。印字部５０は、プラテンローラ５３により券３を搬送しながらサーマルヘッド５１とプラテンローラ５３との接触面でサーマルヘッド５１により券３に印刷を施す。また印字部５０は、後述の切断部３０の切断完了センサ３８により券３の切断が検知されることで印刷搬送部５２による切断部３０により切断された券３の搬送を開始するように構成されている。
【００２７】
さらに印字部５０は、券３の先端部が第１の切断位置Ｃ１と、第２の切断位置Ｃ２とにあることを検出できるように構成されている。第１の切断位置Ｃ１、第２の切断位置Ｃ２については図４を参照してあとで説明する。券３の先端部が第１の切断位置Ｃ１の位置にあることの検出は、例えばサーマルヘッド５１が有する不図示のセンサにより行なう。また、券３の先端部が第２の切断位置Ｃ２の位置にあることの検出は、例えばプラテンローラ駆動モータ５４にパルスモータを用いることで券３の送り量（搬送量）が計れるように構成し、先端部が第２の切断位置Ｃ２の位置にあることを送り量から行なうようにする。なお、このようにすると、小型券３ａの長さより長い任意の長さを有した券３を発券することができる。これは、例えば大型券３ｃより長い券３を発券できるだけでなく、券３の購入に関する領収書や発券データ等を大型券３ｃとは異なる長さの券３で発券できるので非常に有利である。
【００２８】
メイン搬送部６０は、券３を印字部５０から放出部１００まで搬送するものである。メイン搬送部６０は、図中印字部５０の左側から鉛直方向に延設されている。メイン搬送部６０は、複数の駆動ローラ６２と、複数の従動ローラ６１と、駆動ローラ６２を駆動するメイン搬送部駆動手段としてのメイン搬送部駆動モータ６３と、メイン搬送部駆動モータによる駆動を複数の駆動ローラ６２に伝達する駆動ベルト６４（図中破線で表示）と、駆動ローラ６２と従動ローラ６１とに張架され、券３を挟持して搬送する搬送ベルト６５とを含んで構成される。さらにメイン搬送部６０は、メイン搬送部駆動モータ６３の出力軸に摘み６７を有している。メイン搬送部６０は、摘み６７を手動で回転させることにより、手動駆動できるように構成されている。このようにすると、例えば、摘み６７によりメイン搬送部６０を手動駆動させることで、メイン搬送部６０内に詰まった券３を円滑に放出部１００へ搬送できる。
【００２９】
磁気処理部７０は、券３の裏面に書き込まれる磁気情報の処理を行うものである。磁気情報の処理は、例えば、券３への磁気情報の書き込みや券３へ書き込んだ磁気情報を読み出すことで書き込んだ磁気情報の確認を行うことである。磁気処理部７０は、メイン搬送部６０の搬送経路のおよそ中央部分に配置されている。磁気処理部７０は、券３に磁気情報を書き込む書込用磁気ヘッド７１と、券３に書き込まれた磁気情報を読み取る読取用磁気ヘッド７２と、書込用磁気ヘッド７１に対向するピンチローラ７１ａと、読取用磁気ヘッド７２に対向するピンチローラ７２ａとを含んで構成される。
【００３０】
放出部１００は、券３を装置外へ放出するものである。また、利用者から券３、例えば誤購入した券等の受け入れを行うものでもある。言い換えれば、券３の発券を受ける利用者に券３を供給し（受け渡し）、必要に応じて発券した券の挿入を許可する（受け入れる）ものである。放出部１００は、券３を複数枚を一括して放出できるものである。放出部１００は、メイン搬送部６０の印字部５０側と逆の端部（図中メイン搬送部６０の左上部）に配置されている。利用者は、放出部１００から発券された券３を取り去ることができ、また必要に応じて券３を挿入することができる。放出部１００については、図５を参照して後で詳しく説明する。
【００３１】
また、発券装置１は、小型券３ａを搬送方向に対して回転させるターン部８０を備えている。ターン部８０は、メイン搬送部６０の搬送経路の磁気処理部７０と印字部５０との間に配置されている。ターン部８０は、メイン搬送部６０により搬送される小型券３ａを搬送方向に対して９０°回転させるものである。
【００３２】
さらに、小型券３ａを発券する場合には、発券装置１は、フィード部２０により第１の向きｆ１に搬送される券紙２を第１カッタ部３１により切断したのち、印字部５０により印刷するように構成されている。また、中型券３ｂを発券する場合には、発券装置１は、フィード部２０により第１の向きｆ１に搬送される券紙２を第２カッタ部３２により切断したのち、印字部５０により印刷するように構成されている。また、大型券３ｃを発券する場合には、発券装置１は、フィード部２０により第１の向きｆ１に搬送される券紙２に印字部５０により印刷したのち、フィード部２０により第２の向きｆ２に搬送し、第１カッタ部３１により券紙２を大型券３ｃの長さ（第３の所定の長さ）に切断するように構成されている。
【００３３】
図４の正面図を参照して、切断部３０（第１カッタ部３１、第２カッタ部３２）について説明する。また図４では、第１カッタ部３１は券紙２の切断した状態、第２のカッタ部３２は切断待機の状態を示してある。第１カッタ部３１、第２カッタ部３２は、図中右側から、第２カッタ部３２、第１カッタ部３１の順に配置されている。また、配置されている位置は、印字部５０のサーマルヘッド５１とプラテンローラ５３との接触面（図中サーマルヘッド５１とプラテンローラ５３との接点）を基準とすると、この接触面と第１カッタ部３１の切断面の位置との距離がおよそ小型券３ａの長さ（３０ｍｍ）であり、第２カッタ部３２の切断面の位置との距離がおよそ中型券３ｂの長さ（８５ｍｍ）である。
【００３４】
第１の切断位置Ｃ１は、券紙２の先端部がサーマルヘッド５１とプラテンローラ５３とに挟み込まれる位置である。この状態で、券紙２の先端部は、第１カッタ部３１の切断面の位置から小型券３ａの長さだけ、また第２カッタ部３２の切断面の位置から中型券３ｂの長さだけ印字部５０側に出ている。即ち、券紙２の先端部が第１の切断位置Ｃ１にあるときに、小型券３ａは、第１カッタ部３１により券紙２を切断すれば形成でき、中型券３ｂは、第２カッタ部３２により券紙２を切断すれば形成できる。また、第２の切断位置Ｃ２は、搬送経路上で、第１カッタ部３１の切断面の位置から印字部５０側に大型券３ｃの長さ（１２０ｍｍ）離れた位置にある。即ち、大型券３ｃは、券紙２の先端部が第２の切断位置Ｃ２にあるときに第１カッタ部３１により券紙２を切断すれば形成できる。
【００３５】
第１のカッタ部３１は、刃を回転させることにより券紙２を切断するように構成されている。第１カッタ部３１は、券紙２を切断するカッタ３５と、カッタ３５を駆動するカッタ駆動モータ３６と、カッタ駆動モータ３６の動力をカッタ３５に伝達するリンク機構３７と、券紙２の切断を検知する切断検知手段としての切断完了センサ３８と、切断待機状態を検出する切断待機センサ３９とを含んで構成される。さらに第１カッタ部３１は、カッタ駆動モータ３６の回転によりカッタ３５が回転し、カッタ３５が切断状態にあることを切断完了センサ３８により、カッタ３５が切断待機状態にあることを切断待機センサ３９により検知できるように構成されている。切断完了センサ３８、切断待機センサ３９は、例えばセンサの投光部により投光された光の受光、遮光をセンサの受光部により検出する遮光型センサである。
【００３６】
また、第２カッタ部３２は、上述した第１カッタ部３１と同じ構成であるので、説明は省略する。
【００３７】
図５の外観図を参照して、放出部１００についてさらに説明する。図５（ａ）が正面図、図５（ｂ）が裏面図である。放出部１００は、券３を繰り出し方向に搬送する搬送手段としての搬送部１１０と、搬送部１１０により搬送される券３をまとめるまとめガイド１２０と、まとめガイド１２０を駆動するまとめガイド駆動手段１２６と、放出口１０２とを含んで構成される。また、放出部１００は、搬送部１１０により搬送される券３の内、特に小型券３ａをまとめる小型券まとめガイド１２７と、小型券まとめガイド１２７を駆動する小型券まとめガイド駆動手段１２８とを有している。以下、各構成要素の詳細について説明する。
【００３８】
搬送部１１０は、駆動ローラ１１１と、従動ローラ１１２と、駆動ローラ１１１を駆動する放出部駆動手段としての搬送部駆動モータ１１３、搬送部駆動モータ１１３による駆動を駆動ローラ１１１に伝達する駆動ベルト１１４（図５（ｂ）中破線で表示）と、駆動ローラ１１１と従動ローラ１１２とに張架された搬送ベルト１１５とを含んで構成される。搬送部１１０は、放出部１００のおよそ中央部に配置され、メイン搬送部６０の上部から図５（ａ）中右端部に配置された放出口１０２まで延設されており、搬送ベルト１１５によりおよそ水平方向に券３を搬送するように構成されている。また、搬送ベルト１１５の図５中奥行方向の位置は、図７を参照して説明する。
【００３９】
搬送ベルト１１５は、本実施の形態では、平ベルトを用いるがベルト類であればよく、例えば歯付きベルトを用いてもよい。また、搬送ベルト１１５は、上側に配置された上側搬送ベルト１１５ａと、上側搬送ベルト１１５ａに対向して下側に設けられた下側搬送ベルト１１５ｂとで構成される。搬送部１１０は、上側搬送ベルト１１５ａと下側搬送ベルト１１５ｂとの間に券３を挟持して搬送できるように構成されている。さらに、上側搬送ベルト１１５ａは、下側搬送ベルト１１５ｂに対して、メイン搬送部６０側にずらして配置されている。このようにすることで、メイン搬送部６０でおよそ鉛直方向に搬送される券３の受入、またはメイン搬送部６０への券３の受け渡しが円滑に行なえる。以下、上側の搬送ベルト１１５ａと下側の搬送ベルト１１５ｂとを特に区別しないときには単に搬送ベルト１１５という。なお、本実施の形態では、搬送部１１０は、券３を平ベルトに挟持して搬送する場合で説明するが、平ベルトの代わりにベルト以外のもの例えば複数のローラにより券３を挟持して搬送するように構成してもよい。さらに、搬送部１１０は、下側搬送ベルト１１５ｂの放出口１０２側の上端部に対向して設けられたピットローラ１１７を有している。
【００４０】
図６の斜視図を参照して、放出部１００についてさらに説明する。まとめガイド１２０は、複数枚の券３を一括して放出する際に、搬送される券３、特に中型券３ｂと大型券３ｃを制止することで、複数枚の券３を集積するものである。まとめガイド１２０は、上側搬送ベルト１１５ａの内周側に搬送ベルト１１５を跨ぐように配置されている。まとめガイド１２０は、ストッパ部１２１と、支持部１２２と、支持軸１２３と、補助ローラ１２４とを含んで構成される。さらに、まとめガイド１２０は、回動レバー１２６ａ（図５参照）を往復動させることで、支持軸１２３回りに回動可能に構成されている。
【００４１】
ストッパ部１２１は、搬送される券３の搬送を制止する第１の制止手段としての第１ストッパ１２１ａと、回転モーメントにより回転される券３の回転を制止する第２の制止手段としての第２ストッパ１２１ｂとを有している。回転モーメントによる券３の回転については、図７を参照して説明する。第１ストッパ１２１ａと第２ストッパ１２１ｂとは、一体に構成されることが好ましい。本実施の形態では、第１ストッパ１２１ａと第２ストッパ１２１ｂとは、ストッパ部１２１として一体に構成されている。このようにすることで、構成が単純になり、第１ストッパ１２１ａと第２ストッパ１２１ｂとを連動させることが容易に行なえる。また製造を容易にできる。ストッパ部１２１は、正面が略Ｌ字形の形状を有した薄板であり、Ｌ字形角部の中央に切り欠き部１２１ｃが形成されている。そして、この切り欠き部１２１ｃの両側の一方に第１ストッパ１２１ａが、他方に第２ストッパ１２１ｂが形成されている。第１ストッパ１２１ａが、図中奥側である。ストッパ部１２１は、支持部１２２の図中支持軸１２３の左側に取り付けられている。
【００４２】
支持部１２２は、ストッパ部１２１を支持するものであり、支持軸１２３に固着されている。また、支持部１２２には、図中支持軸１２３の右側に固定軸１２５が取り付けられている。さらに固定軸１２５には、補助ローラ１２４が回転可能に取り付けられている。補助ローラ１２４は、上側搬送ベルト１１５ａの下部に内接している。
【００４３】
また、図示のように、搬送部１１０は、ストッパ部１２１が降りている状態（図６（ａ）の状態）では、上側搬送ベルト１１５ａと下側搬送ベルト１１５ｂとの間には、メイン搬送部６０側にいくに従って大きな隙間が形成されている。このような隙間を形成することで、複数枚の券３を一括して放出する場合に、複数枚の券３を集積する際、既に制止されている券３の下に新たに搬送されてきた券３が挿入されるので、円滑に券３を集積することができる。
【００４４】
さらに図６（ｂ）に示すように、ストッパ部１２１に制止された複数枚の券３を一括して放出する際には、まとめガイド１２０が図中Ｒ１方向に回動することで、ストッパ部１２１が上昇する。これにより、券３の制止が解除され、搬送部１１０により券３を放出口１０２へ搬送できる。またこの際には、まとめガイド１２０がＲ１方向に回動することで、補助ローラ１２４が上側搬送ベルト１１５ａの内側下部を押しながら下降し、下側搬送ベルト１１５ｂを上側搬送ベルト１１５ａに押し付ける。これにより、券３は、上側搬送ベルト１１５ａと下側搬送ベルト１１５ｂとにより確実に挟持され、放出口１０２へ搬送できる。このように、放出部１００は、複数枚の券３を一括して放出することができる。また、放出部１００は、券３を１枚ずつ放出する場合には、メイン搬送部６０から券３を受け入れる際に、上述のようにまとめガイド１２０がＲ１方向に回動された状態で受け入れ、券３を制止せずにそのまま放出口１０２へ搬送する。
【００４５】
また、図７に示すように、放出部１００は、搬送部１１０により、券３をベース部１０３に片寄せして搬送するように構成されている。小型券３ａは片寄ガイド１３１により、中型券３ｂ及び大型券３ｃは放出ガイド扉１４１により片寄せされる。なお、片寄ガイド１３１と放出ガイド扉１４１については、図８で後述する。
【００４６】
搬送部１１０の搬送ベルト１１５のベース部１０３からの位置は（図５中奥行方向の位置）、券３をベース部１０３に片寄せした場合に、搬送ベルト１１５の搬送方向の中心線が小型券３ａの中心線に対して、ベース部１０３から離れる方向にずらした位置に配置する。このように配置すると、小型券３ａに対して、効果的に回転モーメントを及ぼすことができる。また、この位置に搬送ベルト１１５を配置することで、中型券３ｂ、大型券３ｃの搬送も円滑に行なえる。ずらす量は、好ましくは１〜１０ｍｍ程度、さらに好ましくは２〜５ｍｍ程度とするとよい。
【００４７】
さらに、放出部１００は、搬送部１１０による搬送力と第１ストッパ１２１の制止手段による制止力とが、小型券３ａに対して、小型券３ａの面に垂直な軸線回りの回転モーメントを及ぼすように構成されている。放出部１００は、搬送部１１０による放出口１０２への繰り出し方向の搬送の搬送力と第１ストッパ１２１ａによる制止力とが、小型券３ａに及ぼすそれぞれ向きが搬送方向に対して互いに逆向きであり、小型券３ａに及ぼす位置が搬送方向に対して垂直方向にずらした位置であることで、回転モーメントを小型券３ａに及ぼすことができる。小型券３ａは、この回転モーメントにより第２ストッパ１２１ｂに制止されるまで回転される。これにより、小型券３ａの角部が放出部１００の手前側に突出するので、この部分を摘んで小型券３ａを放出部１００から取り去ることができる。
【００４８】
また、搬送部１１０は、小型券３ａに対して回転モーメントを及ぼすときに、小型券３ａの繰り出し方向の搬送を、発券に際しての搬送の速度より低速で行なえるように構成されている。このようにすることで、小型券３ａに対して、効果的に回転モーメントを及ぼすことができる。また低速での搬送は、手動であることが好ましいが搬送部駆動モータ１１３の駆動による自動であってもよい。手動の場合には、搬送部駆動モータ１１３の出力軸に摘み１１７（図５参照）を取り付ける。これにより、摘み１１７を手動で回転させることで搬送部１１０の搬送を低速で行なうことができる。この場合には、搬送部駆動モータ１１３の出力軸に摘み１１７を取り付けることで構成できるので、簡単に構成できる。また自動の場合には、搬送部駆動モータ１１３を制御する不図示の制御装置に搬送部１１０の搬送を低速で行なう制御に切り換える低速制御手段を設けるようにする。この場合には、搬送部１１０の搬送を低速で行なう制御を行なうようにするので、機械的に単純に構成できる。
【００４９】
図５に戻ってさらに説明する。まとめガイド駆動手段１２６は、前述したように回動レバー１２６ａを往復動させることで、まとめガイド１２０を支持軸１２３回りに回動駆動するものである。まとめガイド駆動手段１２６は、例えばソレノイドである。まとめガイド駆動手段１２６は、駆動ＯＦＦでまとめガイド１２０のストッパ部１２１が下降した状態（図６（ａ）の状態）となり、搬送される券３を制止できる。また、駆動ＯＮでまとめガイド１２０のストッパ部１２１が上昇し、補助ローラ１２４が下降した状態（図６（ｂ）の状態）となり、搬送ベルト１１５に挟持された券３の搬送が可能となる。
【００５０】
小型券まとめガイド１２７は、搬送部１１０により搬送される券３、特に小型券３ａを制止するものである。小型券まとめガイド１２７は、不図示の軸回りに回動可能に取り付けられ、この回動により、小型券３ａの制止、または小型券３ａの制止の解除を行なえるように構成されている。小型券まとめガイド１２７は、第１ストッパ１２１ａよりメイン搬送部６０側に配置されている。これは、前述のまとめガイド１２０の第１ストッパ１２１では、小型券３ａが小さいため、小型券３ａが集積される位置では上側搬送ベルト１１５ａと下側搬送ベルト１１５ｂとの間の隙間が十分でなく、既に制止されている小型券３ａの下に新たに搬送されてきた小型券３ａが上手く挿入されない場合があるためである。このため、小型券まとめガイド１２７は、小型券３ａの制止位置をメイン搬送部６０側に移動させることで、十分な隙間が形成されている位置に搬送されてきた小型券３ａを集積させるようにするものである。これにより、複数枚の小型券３ａを一括して放出する場合に、複数枚の小型券３ａを集積する際、既に制止されている小型券３ａの下に新たに搬送されてきた小型券３ａが挿入されるので、円滑に小型券３ａを集積することができる。
【００５１】
小型券まとめガイド駆動手段１２８は、小型券まとめガイド１２７を回動駆動するものである。小型券まとめガイド駆動手段１２８は、例えばソレノイドである。小型券まとめガイド駆動手段１２８は、駆動ＯＮで小型券まとめガイド１２７が搬送される小型券３ａを制止し、また、駆動ＯＦＦで小型券３ａを制止する状態が解除される。また、小型券まとめガイド１２７により制止状態が解除された小型券３ａを放出口１０２へ搬送する場合には、中型券３ｂ、大型券３ｃと同様に、まとめガイド駆動手段１２６を駆動ＯＮにし、まとめガイド１２０のストッパ部１２１が上昇させ、補助ローラ１２４が下降させた状態（図６（ｂ）の状態）とする。これにより、搬送ベルト１１５に挟持された小型券３ａの搬送が可能となる。
【００５２】
さらに、図８（ａ）の上面図に示すように、放出部１００は、大きさの異なる複数の券３を搬送方向に案内する複数の案内手段として片寄ガイド１３１と、放出ガイド扉１４１とを有し、片寄ガイド１３１と、放出ガイド扉１４１は、互いに連動して案内解除位置に移動可能に構成されている。大きさの異なる複数の券３とは、例えば券３の幅が異なる複数の券３である。本実施の形態では、券３の幅が異なる複数の券３は、小型券３ａと、中型券３ｂ及び大型券３ｃとの２種類である。なお、ここでの連動は、機械的連動、電気的連動を含む概念である。以下、機械的連動の場合で説明する。さらに、放出部１００は、片寄ガイド１３１を駆動する片寄ガイド駆動手段１３５（図９参照）と、片寄ガイド１３１と放出ガイド扉１４１とを連動させる連動レバー１５１（図９参照）とを有している。片寄ガイド駆動手段１３５は、例えばソレノイドである。また、案内解除位置は、図９で後述するように、片寄ガイド１３１については下方に移動した位置であり、放出ガイド扉１４１については、開放の位置である。
【００５３】
片寄ガイド１３１は、小型券３ａをベース部１０３に片寄せするものである。片寄ガイド１３１は、まとめガイド１２０の下部に配置されている。放出ガイド扉１４１は、中型券３ｂ及び大型券３ｃをベース部１０３に片寄せするものである。また、放出ガイド扉１４１は、およそ放出部１００の正面側（図８（ａ）中下方、（ｂ）中正面）を覆うカバーも兼ねている。放出ガイド扉１４１は、放出部１００の下部に取り付けられたヒンジ１４２により開閉可能に取り付けられている。また、放出ガイド扉１４１は、バネ１４３により閉方向に付勢されている。言い換えれば、放出部１００にカバーする方向に付勢されている。なお、片寄ガイド１３１は、小型券３ａのまとめ出しを含めた発券及び誤購入の際の小型券３ａの利用者による挿入（１枚）のときに片寄せのガイドとして働く。片寄ガイド１３１は、図７で前述した小型券３ａを回転させる場合や、搬送部１１０により中型券３ｂ及び大型券３ｃを搬送する場合に障害物となる。これら場合には、図９で後述するように片寄ガイド１３１を下方へ移動させることで対応する。
【００５４】
図９のＡ−Ａ’断面図を参照して、片寄ガイド１３１と放出ガイド扉１４１についてさらに説明する。図９は、一部を省略して示している。片寄ガイド１３１は、略コの字形（図示は逆コの字形）の断面を有したガイド部１３２と、コの字形のガイド部１３２の背部１３２ａ対しておよそ垂直に取り付けられ、ガイド部１３２を支持する支持板１３３とを含んで構成されている。ガイド部１３２は、搬送部１１０による搬送の方向に、図６で説明したまとめガイド１２０のストッパ部１２１とおよそ同じ位置に、同じ長さを有している。またガイド部１３２は、背部１３２ａがベース部１０３から小型券３ａの幅と同じ位置に、およそベース部１０３と平行に、言い換えれば、搬送部１１０による搬送の方向と平行に配置されている。片寄ガイド１３１は、ガイド部１３２の背部１３２ａにより、小型券３ａをベース部１０３に片寄する。
【００５５】
また、片寄ガイド１３１は、軸１３４回りに回動可能に取り付けられている。片寄ガイド１３１は、片寄ガイド駆動手段１３５により回動駆動される。片寄ガイド１３１は、片寄ガイド駆動手段１３５の駆動がＯＦＦの状態で、小型券３ａをベース部１０３に片寄せできる位置にあるように構成されている。また片寄ガイド駆動手段１３５の駆動がＯＮの状態で、小型券３ａをベース部１０３に片寄せできる位置から、下方側に、搬送される中型券３ｂ及び大型券３ｃに干渉しない位置即ち案内解除位置まで回動するように構成されている（図９（ａ）中破線で表示）。即ち片寄ガイド１３１は、片寄ガイド駆動手段１３５により図中Ｒ１１方向に回動されるように構成されている。
【００５６】
放出ガイド扉１４１は、略矩形の断面を有しており、下端に曲面部１４１ａが形成されており、曲面部１４１ａと連続して裏面側の下部に凸部１４１ｂを形成している。また、放出ガイド扉１４１は、裏面側のおよそ中央部に、搬送部１１０による搬送方向と平行に中型券３ｂ及び大型券３ｃを案内するガイド部１４１ｃが形成されている。放出ガイド扉１４１は、ガイド部１４１ｃにより、中型券３ｂ及び大型券３ｃをベース部１０３に片寄する。さらに、放出ガイド扉１４１は、透明な樹脂材料で形成されている。これにより、放出ガイド扉１４１が閉状態であっても放出部１００内の状態例えば搬送ベルト１１５に挟持された券３を見ることができる。また、放出ガイド扉１４１は、開放されている状態であるとき、中型券３ｂ及び大型券３ｃの案内を解除している状態である。即ち放出ガイド扉１４１は、開放の位置が案内解除位置である。
【００５７】
片寄ガイド１３１と放出ガイド扉１４１とは、連動レバー１５１により、機械的に連動可能に構成されている。連動レバー１５１は、略扇形の形状を有している。連動レバー１５１は、扇形の円周部１５１ａ近傍に取り付けられた軸１５２を介して、放出部１００の下部に回動可能に取り付けられている。連動レバー１５１は、図中Ｒ１３方向にバネ１５３により付勢されている。
【００５８】
図９（ｂ）に示すように、放出部１００は、放出ガイド扉１４１を図中Ｒ１５方向に手動で回動させる、即ち放出ガイド扉１４１を開く方向に手動で開くことにより、放出ガイド扉１４１の凸部１４１ｂと曲面部１４１ａとにより、連動レバー１５１の円周部１５１ａが押されることで、連動レバー１５１が図中Ｒ１４方向に回動する。そして、Ｒ１４方向に回動した連動レバー１５１は、先端部１５１ｂにより、ガイド部１３２のコの字形の腹部１３２ｂに入り込み、片寄ガイド１３１を図中Ｒ１１方向に回動させる。これにより、片寄ガイド１３１は、搬送される中型券３ｂ及び大型券３ｃに干渉しない位置まで回動するように構成されている。これにより、放出部１００は、手動で片寄ガイド１３１を下方へ移動させることができるので、例えば、図７で前述した、小型券３ａを回転させ、放出部１００から取り去る作業を円滑かつ容易に行なうことができる。
【００５９】
以上では、片寄ガイド１３１と、放出ガイド扉１３２との連動は機械的連動である場合で説明したが、電気的連動であってもよい。電気的連動の場合には、放出ガイド扉１４１の開放を検知するセンサを設け、このセンサにより放出ガイド扉１４１の開放を検知した際に、片寄ガイド１３１を片寄ガイド駆動手段１３５により図中Ｒ１１方向に回動させるようにするとよい。この場合には、少なくとも片寄ガイド１３１が機械的に連動していない分、放出ガイド扉１４１を開放するための操作力が軽くなる。
【００６０】
図１を参照して、発券装置１の作用について説明する。まず、券紙２の装填の際の動作について説明する。発券装置１の運用を行っている係員は、ロール紙２ａ（券紙２）の先端部を第１フィード部２１に挿入する。第１フィード部２１は、挿入された券紙２の先端部を、位置センサ２６ａが先端部で遮光されることにより検知する。第１フィード部２１は、位置センサ２６ａによる券紙２の先端部の検知により第１フィード部駆動モータ２５を回転駆動し、補充フィードローラ２３を、券紙２を正搬送する方向に回転させる。これにより券紙２は、補充フィードローラ２３と自由ローラ２４とに挟み込みこまれ、位置センサ２６ｂを先端部で遮光する。
【００６１】
発券装置１は、位置センサ２６ｂによる券紙２の先端部の検出により、第２フィード部２２の第２フィード部駆動モータ２９と、印字部５０のプラテンローラ駆動モータ５４とを同期して回転駆動する。そして、第２フィード部駆動モータ２９により第１フィードローラ２７ａと第２フィードローラ２７ｂとが、プラテンローラ駆動モータ５４によりプラテンローラ５３が、券紙２を正搬送する方向に回転される。券紙２は、第１フィードローラ２７ａと第１自由ローラ２８ａとに挟み込まれ、さらに第２フィードローラ２７ｂと第２自由ローラ２８ｂとに挟み込まれ正搬送される。さらに券紙２は、プラテンローラ５３とサーマルヘッド６１とに挟み込まれて正搬送される。そして発券装置１は、券紙２の先端部の位置センサ２６ｂの通過後から所定時間が経過した後に、第１フィード部駆動モータ２５、第２フィード部駆動モータ２９、プラテンローラ駆動モータ５４をそれぞれ停止する。
【００６２】
そして発券装置１は、各モータを停止させた後に、切断部３０の第１カッタ部３１により券紙２を切断する。切断された券紙２の先端部分は図示しない廃券皿等に収納される。なお、券紙２のロール紙２ａ側は、第１カッタ部３１が切断待機状態の戻るまで、フィード部２０により停止状態で保持され、その切断待機センサ３９（図４参照）により第１カッタ部３１が切断待機状態に戻ったことを検知すると、第２フィード部２２により所定の待機位置まで正搬送される。発券装置１は、これで券紙２の装填動作を終了し、発券を待機する。ここで、所定の待機位置とは、印字部５０のサーマルヘッド５１とプラテンローラ５３との接触面から第１カッタ部３１側に１〜２ｍｍ程度の位置である（図４参照）。このように、発券装置１は、券紙２の先端部をサーマルヘッド５１とプラテンローラ５３との間に挟み込まない状態で待機することで、券紙２の先端部をサーマルヘッド５１とプラテンローラ５３との間に挟み込んだ状態で待機することにより発生する券紙２の先端部の変形をなくすことができる。これにより、発券装置１は、例えば券紙２の先端部の変形による搬送中の不具合をなくすことができる。
【００６３】
次に、図１０を参照して発券装置１の発券動作の作用について説明する。まず、発券待機（Ｓ０）の状態にある発券装置１は、外部から発券を行う旨の信号の入力がされる。券種判定工程として、発券装置１は、入力信号から発券する券３の種類を判定する。この判定は、まず発券する券３が小型券３ａ（図３参照）であるかの判定が行われる（Ｓ１）。発券する券３が小型券３ａでない場合には（Ｓ１がＮ）、次に中型券３ｂ（図３参照）であるかの判定が行われる（Ｓ２）。そして、発券する券が中型券３ｂでない場合には（Ｓ２がＮ）、大型券３ｃ（図３参照）であるかの判定が行われる（Ｓ３）。さらに、発券する券が大型券３ｃでない場合には（Ｓ３がＮ）、発券待機（Ｓ０）の状態に戻る。以下、図を参照して、各券の発券動作について説明する。
【００６４】
図１１を参照して、発券する券が小型券３ａであると判定された場合の動作について説明する。Ｓ１で小型券３ａであると判定された場合には（図１０のＳ１がＹ）、発券装置１は、券紙２を長手方向の第１の向きに搬送する第１搬送工程として、第１の切断位置Ｃ１（図４参照）まで、券紙２を第２フィード部２２及び印字部５０により正搬送する（Ｓ１０１）。
【００６５】
発券装置１は、券紙２の先端部が第１の切断位置Ｃ１に到達すると、第２フィード部２２及び印字部５０の正搬送を停止する（Ｓ１０３）。即ち、券紙２の正搬送が停止する。券紙２の正搬送を停止すると、第１搬送工程の後に券紙２を長手方向の第１の所定の長さに切断する第１切断工程として、発券装置１は、第１カッタ部３１により券紙２の切断を開始する（Ｓ１０５）。そして券紙２の切断が終了し、第１カッタ部３１の切断完了センサ３８（図４参照）により第１カッタ部３１の切断完了状態が検出される（Ｓ１０７）。第１カッタ部３１の切断完了状態が検出されると、印字部５０による小型券３ａの正搬送を開始する。また、第１カッタ部３１の切断動作は、そのまま継続され、切断待機センサ３９（図４参照）により第１カッタ部３１が切断待機状態に戻ったことが検出されると、切断動作を終了する（Ｓ１０９）。
【００６６】
さらに印字部５０は、第１切断工程の後に券３に印刷情報を印刷する第１印刷工程として、小型券３ａの先端部が印刷開始位置に到達すると、サーマルヘッド５１に所定の印加電圧を掛けることで、プラテンローラ５３による正搬送に同期した状態で、小型券３ａの表面に印刷情報を印刷する（Ｓ１１１）。発券装置１は、印字部５０による小型券３ａの表面への印刷が完了すると、印字部５０の正搬送の継続に加え、メイン搬送部６０の放出部１００方向への搬送駆動を開始する（Ｓ１１３）。そして、小型券３ａは、印字部５０からメイン搬送部６０へと受け渡される。この受け渡しが完了すると、印字部５０は正搬送駆動を停止する（Ｓ１１５）。
【００６７】
ロール紙２ａ側の券紙２は、印字部５０による印字完了までは、第２フィード部２２により停止状態で保持され、第１カッタ部３１が切断待機状態であることを前提に、Ｓ１１３の小型券３ａのメイン搬送部６０への受け渡しの際に、第２フィード部２２により所定の待機位置（図４参照）まで正搬送される（Ｓ１１７）。そして第２フィード部２２は、券紙２を所定の待機位置まで正搬送した後停止する。
【００６８】
小型券３ａを受け取ったメイン搬送部６０は、搬送ベルト６５に小型券３ａを挟持して放出部１００方向へ搬送する。小型券３ａは、メイン搬送部６０により搬送されているときに、まずターン８０により搬送方向に対して９０°回転される（Ｓ１１９）。さらに、小型券３ａは、メイン搬送部６０により搬送され、磁気処理部７０の書込用磁気ヘッド７１で磁気情報が書き込まれ、さらに読取用磁気ヘッド７２で書き込まれた磁気情報を読み込んで、書き込まれた磁気情報が正しいことが確認される（Ｓ１２１）。そしてメイン搬送部６０は、さらに小型券３ａを搬送して放出部１００に受け渡す。小型券３ａを受け渡された放出部１００は、放出口１０２より小型券３ａを放出する（Ｓ１２３）。これで、小型券３ａの発券が完了する。そして、発券装置１は、メイン搬送部６０の搬送駆動を停止し、発券待機の状態に戻る（Ｓ１２５）。
【００６９】
図１２を参照して、発券する券３が中型券３ｂであると判定された場合の動作について説明する。Ｓ２で中型券３ｂであると判定された場合には（図１０のＳ２がＹ）、発券装置１は、券紙２を長手方向の第1の向きに搬送する第２搬送工程として、第１の切断位置Ｃ１（図４参照）まで、券紙２を第２フィード部２２及び印字部５０により正搬送する（Ｓ２０１）。
【００７０】
発券装置１は、券紙２の先端部が第１の切断位置Ｃ１に到達すると、第２フィード部２２及び印字部５０の正搬送を停止する（Ｓ２０３）。即ち、券紙２の正搬送が停止する。券紙２の正搬送を停止すると、第２搬送工程の後に券紙２を長手方向の第１の所定の長さと異なる第２の所定の長さに切断する第２切断工程として、発券装置１は、第２カッタ部３２により券紙２の切断を開始する（Ｓ２０５）。そして券紙２の切断が終了し、第２カッタ部３２の切断完了センサ３８により第２カッタ部３２の切断完了状態が検出される（Ｓ２０７）。第２カッタ部３２の切断完了状態が検出されると、印字部５０による中型券３ｂの正搬送を開始する。また、第２カッタ部３２の切断動作は、そのまま継続され、切断待機センサ３９により第２カッタ部３２が切断待機状態に戻ったことが検出されると、切断動作を終了する（Ｓ２０９）。
【００７１】
さらに印字部５０は、第２の切断工程の後に券３に印刷情報を印刷する第２印刷工程として、中型券３ｂの先端部が印刷開始位置に到達すると、サーマルヘッド５１に所定の印加電圧を掛けることで、プラテンローラ５３による正搬送に同期した状態で、中型券３ｂの表面に印刷情報を印刷する（Ｓ２１１）。発券装置１は、印字部５０による中型券３ｂの表面への印刷が完了すると、印字部５０の正搬送の継続に加え、メイン搬送部６０の放出部１００方向への搬送駆動を開始する（Ｓ２１３）。そして、中型券３ｂは、印字部５０からメイン搬送部６０へと受け渡される。この受け渡しが完了すると、印字部５０は正搬送駆動を停止する（Ｓ２１５）。
【００７２】
ロール紙２ａ側の券紙２は、印字部５０による印字完了までは、第２フィード部２２により停止状態で保持され、第２カッタ部３２が切断待機状態であることを前提に、Ｓ２１３の中型券３ｂのメイン搬送部６０への受け渡しの際に、第２フィード部２２により所定の待機位置（図４参照）まで正搬送される（Ｓ２１７）。そして第２フィード部２２は、券紙２を所定の待機位置まで正搬送した後停止する。
【００７３】
中型券３ｂを受け取ったメイン搬送部６０は、搬送ベルト６５に中型券３ｂを挟持して放出部１００方向へ搬送する。中型券３ｂは、メイン搬送部６０により搬送されているときに、ターン８０を通過し、磁気処理部７０の書込用磁気ヘッド７１で磁気情報が書き込まれ、さらに読取用磁気ヘッド７２で書き込まれた磁気情報を読み込んで、書き込まれた磁気情報が正しいことが確認される（Ｓ２１９）。そしてメイン搬送部６０は、さらに中型券３ｂを搬送して放出部１００に受け渡す。中型券３ｂを受け渡された放出部１００は、放出口１０２より中型券３ｂを放出する（Ｓ２２１）。これで、中型券３ｂの発券が完了する。そして、発券装置１は、メイン搬送部６０の搬送駆動を停止し、発券待機の状態に戻る（Ｓ２２３）。
【００７４】
図１３を参照して、発券する券３が大型券３ｃであると判定された場合の動作について説明する。Ｓ３で大型券３ｃであると判定された場合には（図１０のＳ３がＹ）、発券装置１は、券紙２を長手方向の第1の向きに搬送する第３搬送工程として、券紙２を第２フィード部２２及び印字部５０により正搬送する（Ｓ３０１）。そして、印字部５０は、第３搬送工程中に券紙２に印刷情報を印刷する第３印刷工程として、券紙２の先端部が印刷開始位置に到達すると、サーマルヘッド５１に所定の印加電圧を掛けることで、第２フィード部２２及びプラテンローラ５３による正搬送に同期した状態で、券紙２の表面に印刷情報を印刷する（Ｓ３０２）。
【００７５】
発券装置１は、印字部５０による券紙２の表面への印刷が完了すると、券紙２の第２フィード部２２及び印字部５０による正搬送を停止する（Ｓ３０３）。そして、第３印刷工程の後に券紙２を長手方向の第１の向きと逆の第２の向きに搬送する逆向搬送工程として、発券装置１は、券紙２の先端部が第２の切断位置Ｃ２（図４参照）まで、券紙２を第２フィード部２２及び印字部５０により逆搬送する（Ｓ３０５）。このとき、券紙２を第２フィード部２２及び印字部５０により逆搬送することで、券紙２にこの逆搬送した分のたるみが発生したとしても、テンションローラ１２によりこのたるみが吸収されるので問題は発生しない。
【００７６】
発券装置１は、券紙２の先端部が第２の切断位置Ｃ２に到達すると、第２フィード部２２及び印字部５０の逆搬送を停止する（Ｓ３０７）。即ち、券紙２の逆搬送が停止する。券紙２の逆搬送を停止すると、逆向搬送工程の後に券紙２を長手方向の第１の所定の長さ及び第２の所定の長さと異なる第３の所定の長さに切断する第３切断工程として、発券装置１は、第１カッタ部３１により券紙２の切断を開始する（Ｓ３０９）。そして券紙２の切断が終了し、第１カッタ部３１の切断完了センサ３８（図４参照）により第１カッタ部３１の切断完了状態が検出される（Ｓ３１１）。第１カッタ部３１の切断完了状態が検出されると、印字部５０による大型券３ｃの正搬送を開始する。また、第１カッタ部３１の切断動作は、そのまま継続され、切断待機センサ３９（図４参照）により第１カッタ部３１が切断待機状態に戻ったことが検出されると、切断動作を終了する（Ｓ３１３）。
【００７７】
さらに、発券装置１は、印字部５０の正搬送の継続に加え、メイン搬送部６０の放出部１００方向への搬送駆動を開始する（Ｓ３１５）。そして、大型券３ｃは、印字部５０からメイン搬送部６０へと受け渡される。この受け渡しが完了すると、印字部５０は正搬送駆動を停止する（Ｓ３１７）。
【００７８】
ロール紙２ａ側の券紙２は、第２フィード部２２により停止状態で保持され、第１カッタ部３１が切断待機状態であることを前提に、Ｓ３１７の大型券３ｃのメイン搬送部６０への受け渡しの際に、第２フィード部２２により所定の待機位置（図４参照）まで正搬送される（Ｓ３１９）。そして第２フィード部２２は、券紙２を所定の待機位置まで正搬送した後停止する。
【００７９】
大型券３ｃを受け取ったメイン搬送部６０は、搬送ベルト６５に大型券３ｃを挟持して放出部１００方向へ搬送する。大型券３ｃは、メイン搬送部６０により搬送されているときに、ターン８０を通過し、磁気処理部７０の書込用磁気ヘッド７１で磁気情報が書き込まれ、さらに読取用磁気ヘッド７２で書き込まれた磁気情報を読み込んで、書き込まれた磁気情報が正しいことが確認される（Ｓ３２１）。そしてメイン搬送部６０は、さらに大型券３ｃを搬送して放出部１００に受け渡す。大型券３ｃを受け渡された放出部１００は、放出口１０２より大型券３ｃを放出する（Ｓ３２３）。これで、大型券３ｃの発券が完了する。そして、発券装置１は、メイン搬送部６０の搬送駆動を停止し、発券待機の状態に戻る（Ｓ３２５）。
【００８０】
ここで、図５を参照して、放出部１００の作用について説明する。まず、小型券３ａを放出口１０２より放出する場合について説明する。放出部１００は、メイン搬送部６０の放出部１００寄りに配置された不図示のセンサにより、小型券３ａの通過が検知されると、搬送部１１０の放出口１０２方向への搬送駆動を開始する。
【００８１】
この際に放出部１００は、複数枚の小型券３ａを一括して放出する場合には、小型券まとめガイド駆動手段１２８を駆動ＯＮにして、小型券まとめガイド１２７によりメイン搬送部６０より受け入れた小型券３ａを制止し、必要枚数の小型券３ａを集積する。そして必要な枚数の小型券３ａが集積されると、小型券まとめガイド駆動手段１２８を駆動ＯＦＦにして制止状態を解除する。同時に、まとめガイド駆動手段１２６を駆動ＯＮにし、まとめガイド１２０のストッパ部１２１（図６参照）を上昇させ、補助ローラ１２４を下降させた状態（図６（ｂ）の状態）にする。そして、搬送部１１０により、複数枚の小型券３ａを一括して放出口１０２へ搬送する。
【００８２】
また、小型券３ａを１枚ずつ放出する場合には、小型券まとめガイド駆動手段１２８を駆動ＯＦＦの状態のまま、まとめガイド駆動手段１２６を駆動ＯＮにし、まとめガイド１２０のストッパ部１２１を上昇させ、補助ローラ１２４を下降させた状態（図６（ｂ）の状態）にする。そして、メイン搬送部６０より受け入れた小型券３ａをそのまま搬送部１１０により、放出口１０２へ搬送する。
【００８３】
さらに、搬送部１１０は、小型券３ａを放出口１０２まで搬送すると、小型券３ａの後端を保持した状態で停止する。このとき小型券３ａの先端部は、放出口１０２から外部に露出している状態、言い換えれば利用者により取り去れる状態にある。そして利用者は、小型券３ａの先端部を摘んで取り去る。即ち利用者が発券された小型券３ａを受け取る。また、搬送部１１０は、小型券３ａが放出口１０２から完全に放出されるまで、小型券３ａの搬送を行ってもよい。この場合には、放出部１００は、放出した小型券３ａを受ける受皿を備えるようにするとよい。
【００８４】
次に、中型券３ｂを放出口１０２より放出する場合について説明する。小型券３ａと同様に、放出部１００は、メイン搬送部６０の放出部１００寄りに配置された不図示のセンサにより、中型券３ｂの通過が検知されると、搬送部１１０の放出口１０２方向への搬送駆動を開始する。
【００８５】
この際に放出部１００は、複数枚の中型券３ｂを一括して放出する場合には、まとめガイド駆動手段１２６を駆動ＯＦＦのまま、メイン搬送部６０から中型券３ｂを受け入れる。メイン搬送部６０より受け入れた中型券３ｂは、まとめガイド１２０のストッパ部１２１の第１ストッパ１２１ａ及び第２ストッパ１２１ｂ（図６参照）により制止され、必要な枚数が集積される。そして必要な枚数の中型券３ｂが集積されると、まとめガイド駆動手段１２６を駆動ＯＮにし、まとめガイド１２０のストッパ部１２１を上昇させ、補助ローラ１２４を下降させた状態にする。そして、搬送部１１０により、複数枚の中型券３ｂを一括して放出口１０２へ搬送する。
【００８６】
また、中型券３ｂを１枚ずつ放出する場合には、まとめガイド駆動手段１２６を駆動ＯＮにし、まとめガイド１２０のストッパ部１２１を上昇させ、補助ローラ１２４を下降させた状態（図６（ｂ）の状態）にする。そして、メイン搬送部６０より受け入れた中型券３ｂをそのまま搬送部１１０により、放出口１０２へ搬送する。以下、小型券２ａと同様であるので説明を省略する。また大型券３ｃについては、中型券３ｂと同じ動作であるので、説明を省略する。
【００８７】
次に、図１４を参照して、詰まった券３を取り除く際の工程について説明する。ここでは例として小型券３ａを発券しているときに、小型券３ａがメイン搬送部６０内で詰まった場合を説明する。発券装置１は、例えば不図示の制御装置等により、小型券３ａの発券の動作に際し、小型券３ａの詰まりが発生しているか否かを監視している（Ｓ４０１）。発券装置１は、小型券３ａの詰まりを検出した場合には（Ｓ４０１がＹ）、装置内の搬送駆動を停止する。これに併せて、放出部１００の搬送部１１０も停止し、まとめガイド駆動手段１２６及び小型券まとめガイド駆動手段１２８の駆動をＯＦＦにする（Ｓ４０３）。即ち、このときのまとめガイド１２０は、ストッパ部１２１が降りている状態である。
【００８８】
発券装置１の運用を行なっている管理者は、小型券３ａがメイン搬送部６０内に詰まっていることを確認する。これにより、管理者は、メイン搬送部駆動モータ６３に取り付けられた摘み６７（図５参照）を手動で回転させることで、メイン搬送部６０を手動駆動し、詰まった小型券３ａを放出部１００へ手動搬送する。そして、小型券３ａを放出部１００まで手動搬送したら、同時に放出部１００の搬送部駆動モータ１１３に取り付けられた摘み１１７（図５参照）を回転させることで、小型券３ａをメイン搬送部６０から放出部１００の搬送部１１０に受け渡す。そして管理者は、摘み１１７をさらに手動で回転させることで、小型券３ａを搬送部１１０により手動搬送し、まとめガイド１２０の第１ストッパ１２１ａ（図６参照）に当接させる（Ｓ４０５）。
【００８９】
管理者は、小型券３ａが第１ストッパ１２１ａに当接すると、放出ガイド扉１４１（図９参照）を手動で開放する。放出ガイド扉１４１の開放に連動して、片寄ガイド１３１（図９参照）が下方へ移動する（Ｓ４０７）。管理者は、この状態を維持しながら、摘み１１７を手動で回転させることで、図７で説明したように小型券３ａに回転モーメントが及ぼされ、小型券３ａが回転する（Ｓ４０９）。さらに、摘み１１７を手動で回転させ続けることで、小型券３ａが回転し、第２ストッパ１２１ｂ（図６参照）に当接して小型券３ａの回転が制止される（Ｓ４１１）。この状態で、小型券３ａは、角部を管理者側（放出ガイド扉１４１側）に突出している。管理者は、突出した小型券３ａの角部を摘んで、小型券３ａを放出部１００から取り去る（Ｓ４１３）。以上のように、詰まった小型券３ａを取り除くことができる。
【００９０】
以上のように本実施の形態の発券装置１は、放出部１００は、券３を繰り出し方向に搬送する搬送部１１０と、搬送部１１０により搬送される券３の搬送を制止する第１ストッパ１２１ａとを有し、搬送部１１０による搬送力と第１ストッパ１２１ａによる制止力とが、券３に対して、券３の面に垂直な軸線回りの回転モーメントを及ぼすので、例えば小型券３ａをこの回転モーメントにより取り除きやすい位置まで回転させることができ、詰まった小型券３ａを簡単に除去することができる。特に本実施の形態のように、複数の券種を発券できる発券装置１では、券３を装置奥側に片寄して搬送しており、これに伴い小型券３ａが装置の奥側に存在し、小型券３ａをそのまま除去することが困難であるため、効果が非常に大きい。
【００９１】
また、放出部１００は、上記回転モーメントにより回転される券３の回転を制止する第２ストッパ１２１ｂを有しているので、回転モーメントにより回転される小型券３ａの回転を、第２ストッパ１２１ｂにより、適正な位置例えば小型券３ａの角部を装置手前側（正面側）に突出する位置で制止することができる。したがって、取り除くべき小型券３ａが回転し過ぎず、二次的に詰まるなどの不具合が防止できる。また、小型券３ａが適正なほぼ決まった位置で制止されることで、小型券３ａを簡単な操作で取り除きやすい。
【００９２】
また、放出部１００の搬送部１１０は、券３に対して上記回転モーメントを及ぼすときに、券３の繰り出し方向の搬送を、通常の発券に際しての搬送の速度より低速で行なえるように構成されているので、例えば、効果的に小型券３ａに対して回転モーメントを及ぼすことができる。特に、本実施の形態では、また低速での搬送は、手動によるので、摘み１１７を手動で回転させることで簡単に搬送部１１０の搬送を低速で行なうことができる。また、例えば小型券３ａの回転を目視しながら手動で低速での搬送が行なえるので、効果的に小型券３ａに対して回転モーメントを及ぼすことができる。また、搬送部駆動モータ１１３の出力軸に摘み１１７を取り付けることで構成できるので、簡単に構成できる。
【００９３】
さらに、放出部１００は、片寄ガイド１３１と、放出ガイド扉１４１を有しているので、小型券３ａを片寄ガイド１３１により、中型券３ｂ及び大型券３ｃを放出ガイド扉１４１によりベース部１０３に片寄せして、搬送部１１０により搬送を行なうことで、それぞれの券を安定して搬送できる。また、複数枚の券３を一括して放出する場合には、券３を揃えて放出することが容易である。さらに、片寄ガイド１３１と、放出ガイド扉１４１とは、連動レバー１５１により、互いに連動して案内解除位置に移動可能に構成されているので、放出ガイド扉１４１を案内解除位置に移動させることで、片寄ガイド１３１も連動して案内解除位置に移動するので、操作が単純である。
【００９４】
【発明の効果】
以上のように本発明に係る発券装置によれば、券類を発券する発券装置において、発券に際して利用者に対して前記券類を繰り出す繰り出し手段を備え、前記繰り出し手段は、前記券類を繰り出し方向に搬送する搬送手段と、前記搬送される券類の搬送を制止する第１の制止手段とを有し、前記搬送手段による搬送力と前記第１の制止手段による制止力とが、前記券類に対して、前記券類の面に垂直な軸線回りの回転モーメントを及ぼすように構成されているので、詰まりを生じた券類を排除することが簡単に行なえる発券装置を提供できる。
【図面の簡単な説明】
【図１】本発明の実施の形態に係る発券装置の構成を示す模式的正面図である。
【図２】本発明の実施の形態に係る券紙を説明する（ａ）斜視図、（ｂ）平面図、（ｃ）裏面図である。
【図３】本発明の実施の形態に係る発券される券を説明する（ａ）小型券の平面図、（ｂ）中型券の平面図、（ｃ）大型券の平面図である。
【図４】本発明の実施の形態に係る切断部を説明する正面図である。
【図５】本発明の実施の形態に係る放出部を説明する、（ａ）正面図、（ｂ）裏面図である。
【図６】図５の放出部の搬送部とまとめガイドを説明する、（ａ）ストッパ部が降りている場合を示す模式的斜視図、（ｂ）まとめガイドの回動によりストッパ部が上昇している場合を示す模式的斜視図である。
【図７】本発明の実施の形態に係る放出部を説明する図であり、（ａ）券と搬送ベルトの位置関係を示す模式的平面図、（ｂ）回転モーメントにより回転する小型券を示す模式的平面図である。
【図８】本発明の実施の形態に係る放出ガイド扉を有した放出部の、（ａ）上面図、（ｂ）正面図である。
【図９】図８の放出部の、（ａ）放出ガイド扉が閉の状態を示すＡ−Ａ’断面図、（ｂ）放出ガイド扉が開の状態を示すＡ−Ａ’断面図である。
【図１０】本発明の実施の形態に係る発券装置の作用を説明するフロー図である。
【図１１】図１０の場合での、発券装置の小型券を発券する作用を説明するフロー図である。
【図１２】図１０の場合での、発券装置の中型券を発券する作用を説明するフロー図である。
【図１３】図１０の場合での、発券装置の大型券を発券する作用を説明するフロー図である。
【図１４】本発明の実施の形態に係る発券装置の詰まった小型券を取り除く工程を説明するフロー図である。
【符号の説明】
１    発券装置
２    券紙
２ａ  ロール紙
３    券
３ａ  小型券
３ｂ  中型券
３ｃ  大型券
１０    保持部
２０    フィード部
３０    切断部
５０    印字部
６０    メイン搬送部
６３    メイン搬送部駆動モータ
６７    摘み
７０    磁気処理部
８０    ターン部
１００    放出部
１０２    放出口
１０３    ベース部
１１０    搬送部
１１５    搬送ベルト
１１３    搬送部駆動モータ
１１７    摘み
１２０    まとめガイド
１２１    ストッパ部
１２１ａ    第１ストッパ
１２１ｂ    第２ストッパ
１２６    まとめガイド駆動手段
１２７    小型券まとめガイド
１２８    小型券まとめガイド駆動手段
１３１    片寄ガイド
１３５    片寄ガイド駆動手段
１４１    放出ガイド扉
１５１    連動レバー
【図１】
0004015456.tif 000002
【図２】
0004015456.tif 000003
【図３】
0004015456.tif 000004
【図４】
0004015456.tif 000005
【図５】
0004015456.tif 000006
【図６】
0004015456.tif 000007
【図７】
0004015456.tif 000008
【図８】
0004015456.tif 000009
【図９】
0004015456.tif 000010
【図１０】
0004015456.tif 000011
【図１１】
0004015456.tif 000012
【図１２】
0004015456.tif 000013
【図１３】
0004015456.tif 000014
【図１４】
0004015456.tif 000015